【手続補正書】
【提出日】平成21年9月9日(2009.9.9)
【手続補正１】
【補正対象書類名】特許請求の範囲
【補正対象項目名】全文
【補正方法】変更
【補正の内容】
【特許請求の範囲】
【請求項１】
指定されているアルコール度数を有するアルコール飲料を、所望のアルコール摂取量に関連づけて付された目盛りまで注入した場合、注入された前記アルコール飲料によって得られるアルコール摂取量が当該所望のアルコール摂取量となるように、前記アルコール摂取量と前記アルコール度数とを関連づけて表示する目盛りを有し、前記目盛りは、複数種類のアルコール度数に対応付けて、複数付されていることを特徴とする、容器。
【請求項２】
アルコール摂取量に関する摂取量情報を示す摂取量指示部と、
アルコール度数に関する複数の度数情報を示す度数指示部とを備え、
前記度数情報は、注入すべきアルコール飲料の分量も示しており、
前記度数情報が示す分量まで前記アルコール飲料を注入すると、前記度数情報と対応付けて表示されている前記摂取量情報によって示される前記アルコール摂取量が得られることを特徴とする、請求項１に記載の容器。
【請求項３】
前記度数指示部は、底から順に前記アルコール度数が低くなるように、前記アルコール度数及び前記分量を示す目盛りを含むことを特徴とする、請求項２に記載の容器。
【請求項４】
前記摂取量指示部及び前記度数指示部は、相異なる前記摂取量情報について、それぞれ対応するように複数設けられていることを特徴とする、請求項２に記載の容器。
【請求項５】
前記度数指示部は、ｎ倍（ｎは、自然数）の関係にあるアルコール度数に関する複数の前記度数情報の組に対して、共通の分量として用いられる一つの共通目盛りを各前記組毎に設けており、
前記摂取量指示部は、同一の倍数毎に対応させて前記摂取量情報を示すことを特徴とする、請求項２に記載の容器。
【請求項６】
前記度数指示部は、１／ｎ倍（ｎは、自然数）の関係にあるアルコール度数に関する複数の前記度数情報の組に対して、共通の分量として用いられる一つの共通目盛りを各前記組毎に設けており、
前記摂取量指示部は、同一の倍数毎に対応させて、所望の前記アルコール摂取量に対する飲用杯数を示すことを特徴とする、請求項２に記載の容器。
【請求項７】
前記度数指示部は、前記度数情報として、前記アルコール飲料の種類を用いることを特徴とする、請求項２に記載の容器。
【請求項８】
前記度数指示部は、前記度数情報として、所望の前記アルコール摂取量に対する飲用杯数を示すことを特徴とする、請求項７に記載の容器。
【請求項９】
前記アルコール飲料の種類を示す前記度数情報は、幅を持たせた分量表示を用いることを特徴とする、請求項７に記載の容器。
【請求項１０】
前記アルコール飲料の種類を示す前記度数情報は、当該アルコール飲料のカロリー表示を含むことを特徴とする、請求項７に記載の容器。
【請求項１１】
前記摂取量指示部及び前記度数表示部は、取り外し可能であることを特徴とする、請求項２に記載の容器。
【請求項１２】
アルコール摂取量に関する複数の摂取量情報を示す摂取量指示部と、
アルコール度数に関する複数の度数情報を示す度数指示部とを備え、
前記摂取量情報は、注入すべきアルコール飲料の分量も示しており、
前記摂取量情報が示す分量まで、前記度数情報が示すアルコール度数を有する前記アルコール飲料を注入すると、前記摂取量情報によって示される前記アルコール摂取量が得られることを特徴とする、請求項１に記載の容器。
【請求項１３】
専用の容器に取り付けられる器具であって、
指定されているアルコール度数を有するアルコール飲料を、所望のアルコール摂取量に関連づけて付された目盛りまで注入した場合、注入された前記アルコール飲料によって得られるアルコール摂取量が当該所望のアルコール摂取量となるように、前記アルコール摂取量と前記アルコール度数とを関連づけて表示する目盛りを有し、前記目盛りは、複数種類のアルコール度数に対応付けて複数付されていることを特徴とする、アルコール摂取量測定器具。
【請求項１４】
アルコール摂取量に関する一以上の摂取量情報を示す摂取量指示部と、
アルコール度数に関する一以上の度数情報を示す度数指示部とを備え、
前記度数情報は、注入すべきアルコール飲料の分量も示しており、
前記度数情報が示す分量まで前記アルコール飲料を注入すると、前記度数情報と対応付けて表示されている前記摂取量情報によって示される前記アルコール摂取量が得られることを特徴とする、請求項１３に記載のアルコール摂取量測定器具。
【請求項１５】
アルコール摂取量に関する複数の摂取量情報を示す摂取量指示部と、
アルコール度数に関する複数の度数情報を示す度数指示部とを備え、
前記摂取量情報は、注入すべきアルコール飲料の分量も示しており、
前記摂取量情報が示す分量まで、前記度数情報が示すアルコール度数を有する前記アルコール飲料を注入すると、前記摂取量情報によって示される前記アルコール摂取量が得られることを特徴とする、請求項１３に記載のアルコール摂取量測定器具。
【手続補正２】
【補正対象書類名】明細書
【補正対象項目名】全文
【補正方法】変更
【補正の内容】
【発明の詳細な説明】
【発明の名称】アルコール摂取量が分かる容器
【技術分野】
【０００１】
本発明は、容器に関する。
【背景技術】
【０００２】
酒は百薬の長と言われるが、過度の飲酒は、脂肪肝や肝硬変など、病気の原因となる。そのため、近年では、一日の適切なアルコール摂取量は、たとえば、男性で２５ｍｌ、女性で２０ｍｌなどと言われている。ここでアルコール摂取量とは、アルコール飲料に含まれる純アルコールの量のことをいう。
【０００３】
たとえば、一日の適切なアルコール摂取量の目安は、アルコール度数５％のビールであれば中瓶１本（５００ｍｌ）、アルコール度数１５％の日本酒であれば一合弱（１８０ｍｌ弱）、アルコール度数４０％のウイスキーであればダブル１杯（６０ｍｌ）、アルコール度数２５％の焼酎であれば約半合（９０ｍｌ）、アルコール度数１２％のワインであればグラス２杯弱（２００ｍｌ）などと言われる。従来は、このような目安に基づいて、飲用するアルコール飲料の量を調整していた。
【０００４】
特許文献１に記載のグラスは、注入されるアルコール飲料と水との比率によって、完成したアルコール飲料のアルコール度数が分かるようにされたものであり、アルコール摂取量は分からない。
【０００５】
特許文献２に記載のグラスは、カクテルを作る際に用いる材料の分量を示したものであり、アルコール摂取量は分からない。
【０００６】
特許文献３に記載のお湯割り用容器は、お湯割りを作ったあとのアルコール度数と温度とが分かるようにされたものであり、アルコール摂取量は分からない。
【特許文献１】実開昭６２−３５０号公報
【特許文献２】実開昭６０−１３０７７８号公報
【特許文献３】特開２００２−１９９９７７号公報
【発明の開示】
【発明が解決しようとする課題】
【０００７】
しかし、上記のような目安を記憶するのは大変である。また、近年、様々な種類のアルコール飲料が販売されており、アルコール度数も様々であり、上記のような目安では、正確なアルコール摂取量を認識できない。アルコール飲料の容器に表示されているアルコール度数を見ただけでは、自身がどれだけの純アルコールを摂取したか分からず、ついつい適切なアルコール摂取量を超えてしまう場合がある。
【０００８】
それゆえ、本発明の目的は、様々な種類のアルコール飲料に対して、アルコール摂取量を確認することができる容器を提供することである。また、本発明の他の目的は、アルコール摂取量を測定することができる器具を提供することである。
【課題を解決するための手段】
【０００９】
上記課題を解決するために、本発明は、以下のような特徴を有する。本発明は、指定されているアルコール度数を有するアルコール飲料を、所望のアルコール摂取量に関連づけて付された目盛りまで注入した場合、注入されたアルコール飲料によって得られるアルコール摂取量が当該所望のアルコール摂取量となるように、アルコール摂取量とアルコール度数とを関連づけて表示する目盛りを有し、当該目盛りは、複数種類のアルコール度数に対応付けて複数付されている容器である。
【００１０】
好ましくは、本発明の容器は、アルコール摂取量に関する摂取量情報を示す摂取量指示部と、アルコール度数に関する複数の度数情報を示す度数指示部とを備え、度数情報は、注入すべきアルコール飲料の分量も示しており、度数情報が示す分量までアルコール飲料を注入すると、度数情報と対応付けて表示されている摂取量情報によって示されるアルコール摂取量が得られることを特徴とする。
【００１１】
好ましくは、度数指示部は、底から順にアルコール度数が低くなるように、アルコール度数及び分量を示す目盛りを含むとよい。
【００１２】
好ましくは、摂取量指示部及び度数指示部は、相異なる摂取量情報について、それぞれ対応するように複数設けられているとよい。
【００１３】
好ましくは、度数指示部は、ｎ倍（ｎは、自然数）の関係にあるアルコール度数に関する複数の度数情報の組に対して、共通の分量として用いられる一つの共通目盛りを各組毎に設けており、摂取量指示部は、同一の倍数毎に対応させて摂取量情報を示すとよい。
【００１４】
好ましくは、度数指示部は、１／ｎ倍（ｎは、自然数）の関係にあるアルコール度数に関する複数の度数情報の組に対して、共通の分量として用いられる一つの共通目盛りを各組毎に設けており、摂取量指示部は、同一の倍数毎に対応させて、所望のアルコール摂取量に対する飲用杯数を示すとよい。
【００１５】
好ましくは、度数指示部は、度数情報として、アルコール飲料の種類を用いるとよい。
【００１６】
好ましくは、度数指示部は、度数情報として、所望のアルコール摂取量に対する飲用杯数を示すとよい。
【００１７】
好ましくは、アルコール飲料の種類を示す度数情報は、幅を持たせた分量表示を用いるとよい。
【００１８】
好ましくは、アルコール飲料の種類を示す度数情報は、当該アルコール飲料のカロリー表示を含むとよい。
【００１９】
好ましくは、摂取量指示部及び度数表示部は、取り外し可能であるとよい。
【００２０】
好ましくは、本発明の容器は、アルコール摂取量に関する複数の摂取量情報を示す摂取量指示部と、アルコール度数に関する複数の度数情報を示す度数指示部とを備え、摂取量情報は、注入すべきアルコール飲料の分量も示しており、摂取量情報が示す分量まで、度数情報が示すアルコール度数を有するアルコール飲料を注入すると、摂取量情報によって示されるアルコール摂取量が得られることを特徴とする。
【００２１】
また、本発明の他の局面は、専用の容器に取り付けられるアルコール摂取量測定器具であって、指定されているアルコール度数を有するアルコール飲料を、所望のアルコール摂取量に関連づけて付された目盛りまで注入した場合、注入されたアルコール飲料によって得られるアルコール摂取量が当該所望のアルコール摂取量となるように、アルコール摂取量とアルコール度数とを関連づけて表示する目盛りを有し、当該目盛りは、複数種類のアルコール度数に対応付けて複数付されている。
【００２２】
好ましくは、本発明のアルコール摂取量測定器具は、アルコール摂取量に関する一以上の摂取量情報を示す摂取量指示部と、アルコール度数に関する一以上の度数情報を示す度数指示部とを備え、度数情報は、注入すべきアルコール飲料の分量も示しており、度数情報が示す分量までアルコール飲料を注入すると、度数情報と対応付けて表示されている摂取量情報によって示されるアルコール摂取量が得られる。
【００２３】
好ましくは、本発明のアルコール摂取量測定器は、アルコール摂取量に関する複数の摂取量情報を示す摂取量指示部と、アルコール度数に関する複数の度数情報を示す度数指示部とを備え、摂取量情報は、注入すべきアルコール飲料の分量も示しており、摂取量情報が示す分量まで、度数情報が示すアルコール度数を有するアルコール飲料を注入すると、摂取量情報によって示されるアルコール摂取量が得られる。
【発明の効果】
【００２４】
本発明によれば、指定されているアルコール度数を有するアルコール飲料を、所望のアルコール摂取量に関連づけて付された目盛りまで注入した場合、注入されたアルコール飲料によって得られるアルコール摂取量が当該所望のアルコール摂取量となるように付された目盛りを有し、当該目盛りは、複数種類のアルコール度数に対応付けて複数付されているので、様々な種類のアルコール飲料に対して、アルコール摂取量を確認することができる容器が提供されることとなる。たとえば、度数情報が示す分量にまで、アルコール飲料を注入すると、度数情報に対応するアルコール摂取量を得ることができる。度数情報は複数示されているので、様々な種類のアルコール飲料に対して、アルコール摂取量を確認することができる容器が提供されることとなる。また、摂取量情報が示す分量にまで、アルコール飲料を注入すると、摂取量情報によって示されるアルコール摂取量が得られる。摂取量情報は複数示されているので、様々な種類のアルコール飲料に対して、アルコール摂取量を確認することができる容器が提供されることとなる。
【００２５】
アルコール度数が底から順に低くなるような目盛りを示すことによって、あらゆる種類のアルコール度数に対して、アルコール摂取量を確認することができる容器が得られる。相異なる摂取量情報について、摂取量指示部及び度数指示部を複数設けることによって、体調や個人差などに併せて、様々なアルコール摂取量を得ることができる。
【００２６】
ｎ倍の関係や、１／ｎ倍の関係にあるアルコール度数について、共通目盛りを用いることによって、デザイン性が向上する。また、アルコールの種類を度数情報として用いることによっても、デザイン性が向上する。度数情報に、幅を持たせることによって、曖昧ではあるが、アルコール度数がはっきり分からない場合にも、アルコール摂取量を大まかに確認することができる。カロリー表示を設ければ、アルコール摂取量だけでなく、ダイエットを気にする者に対しても有用である。
【００２７】
摂取量指示部及び度数表示部を取り外し可能にしたり、容器に取り付けられるアルコール摂取量測定器具を用いることによっても、アルコール摂取量を確認できる。この場合、アルコール飲料を飲用する際には、取り外して、目盛りや数値などを見なくてもよいので、デザイン性が向上すると共に、飲用時のむなしさを感じなくて済む。
【００２８】
本発明のこれらおよび他の目的、特徴、局面、効果は、添付図面と照合して、以下の詳細な説明から一層明らかになるであろう。
【発明を実施するための最良の形態】
【００２９】
（第１の実施形態）
図１は、本発明の第１の実施形態に係る容器１を示す斜視図である。図２（ａ）〜（ｃ）及び図３（ａ）〜（ｃ）は、それぞれ、容器１の正面図である。ただし、図２（ａ）〜（ｃ）及び図３（ａ）〜（ｃ）では、表示されている目盛りが略中心となるように作図されており、略中心に位置しない目盛りの記載は省略されている。図２（ａ）〜（ｃ）及び図３（ａ）〜（ｃ）に示すように、容器１は、６種類の目盛りを含む。具体的には、容器１は、摂取量指示部２ａ，２ｂ，２ｃ，２ｄ，２ｅ，２ｆと、度数指示部３ａ，３ｂ，３ｃ，３ｄ，３ｅ，３ｆとを含む。摂取量指示部２ａ，２ｂ，２ｃ，２ｄ，２ｅ，２ｆ、及び、度数指示部３ａ，３ｂ，３ｃ，３ｄ，３ｅ，３ｆは、それぞれ、構造が同様であるので、以下特に断らない限り、代表して、摂取量指示部２ａ及び度数指示部３ａについて説明する。摂取量指示部２ａ及び度数指示部３ａは、たとえば、印刷や刻印、シール貼り付け、成形等によって、容器１に表示されているが、摂取量指示部２ａ及び度数指示部３ａの形成方法は特に限定されない。摂取量指示部２ａ及び度数指示部３ａは、好ましくは、透明又は半透明であるとよいが、特に限定されない。容器１は、好ましくは、透明又は半透明のグラスやコップであるとよいが、特に限定されない。
【００３０】
摂取量指示部２ａは、アルコール摂取量に関する情報（以下、摂取量情報という）を示す。図１に示すように、摂取量情報は、典型的には、アルコール摂取量を“ｍｌ”単位で示している。しかし、摂取量情報は、これに限られるものではない。たとえば、アルコール摂取量が“ｇ”単位で示されていてもよい。その他、摂取量情報として、“男性一日適量”や“女性一日適量”といった表示がなされていてもよい。このように、摂取量情報は、アルコール摂取量に関する情報であれば、特に限定されない。
【００３１】
度数指示部３ａは、アルコール度数に関する情報（以下、度数情報という）を示す。図１に示すように、度数情報３は、典型的には、アルコール度数を“％”単位で示している。しかし、度数情報は、これに限られるものではない。たとえば、“Proof”単位で示されていてもよい。その他、後述の第４の実施形態で示すように、“ビール”や“ワイン”などといったように、アルコール飲料の種類によって、度数情報を示してもよい。このように、度数情報は、アルコール度数に関する情報であれば、特に限定されない。
【００３２】
さらに、度数情報３は、アルコール度数に加えて、注入すべきアルコール飲料の分量に関する目盛りを含む。図１では、たとえば、アルコール度数が１０％のアルコール飲料は、上から二つ目の目盛りまで注入されることとなる。
【００３３】
まず、容器１の使い方について説明する。２５ｍｌの純アルコールを摂取したい場合、すなわち、アルコール摂取量を２５ｍｌとしたい場合、図１に示すように、２５ｍｌの摂取量指示部２ａを用いる。仮に、飲用したいアルコール飲料が１２％のアルコール度数を有していたとする。その場合、度数指示部３ａにおける１２％の表示の度数情報３の目盛りまで、当該アルコール飲料を注入すればよい（図１及び図３（ｃ）参照）。この注入されたアルコール飲料を飲み干せば、２５ｍｌの純アルコールを摂取したこととなる。すなわち、アルコール摂取量が２５ｍｌとなる。
【００３４】
同様にして、アルコール摂取量を２０ｍｌにしたい場合、摂取量指示部２ｂ及び度数指示部３ｂを用いればよい（図１及び図３（ｂ）参照）。アルコール摂取量を５ｍｌにしたい場合、摂取量指示部２ｃ及び度数指示部３ｃを用いればよい（図２（ａ）参照）。アルコール摂取量を１０ｍｌにしたい場合、摂取量指示部２ｄ及び度数指示部３ｄを用いればよい（図２（ｂ）参照）。アルコール摂取量を１２．５ｍｌにしたい場合、摂取量指示部２ｅ及び度数指示部３ｅを用いればよい（図２（ｃ）参照）。アルコール摂取量を１５ｍｌにしたい場合、摂取量指示部２ｆ及び度数指示部３ｆを用いればよい。
【００３５】
次に、度数指示部３ａにおける目盛りの決め方の一例について説明する。アルコール飲料のアルコール度数をｙ（％）とし、注入したアルコール飲料の量をｗ（ｍｌ）とした場合、アルコール摂取量ｚ（ｍｌ）は、計算式ｗｙ÷１００によって求めることができる。したがって、アルコール摂取量をｚ（ｍｌ）とした場合、計算式１００×ｚ÷ｙによって、ｙ％のアルコール飲料を飲用したときの摂取量が求まることとなる。たとえば、１２％のアルコール飲料を用いた場合、１００×２５÷１２＝約２０８ｍｌだけ飲用すれば、アルコール摂取量が約２５ｍｌとなる。このようにして、摂取量指示部２ａに表示されるアルコール摂取量に基づいて、度数指示部３ａに表示されるアルコール度数のアルコール飲料を飲用した場合の分量を決定して、当該分量に対応する箇所に度数情報３のための目盛りを付せばよい。度数指示部３ａ，３ｂ，３ｃ，３ｄ，３ｅ，３ｆの目盛りが摂取量指示部２ａ，２ｂ，２ｃ，２ｄ，２ｅ，２ｆに対応して、それぞれ決められる。このようにして、度数指示部３ａ，３ｂ，３ｃ，３ｄ，３ｅ，３ｆは、容器１の底から順にアルコール度数が低くなるように、アルコール度数及び分量を示す目盛りを表示する。なお、上記目盛りの決め方は、一例に過ぎず、他の決め方が用いられてもよい。
【００３６】
このように、度数情報３が示す分量までアルコール飲料を注入すると、度数情報３と対応付けて表示されている摂取量情報によって示されるアルコール摂取量（図１〜３ではアルコール摂取量が何ｍｌかが示されているが表示方法はこれに限られない）が得られるように、度数情報３の目盛りが決められている。なお、摂取量情報と度数情報との対応付けとして、図１〜３では、度数情報の目盛りの上に、摂取量情報が示されていることとしたが、表示位置は、これに限られるものではない。
【００３７】
第１の実施形態では、摂取量指示部２ａ，２ｂ，２ｃ，２ｄ，２ｅ，２ｆは、相異なる摂取量情報として、それぞれ、アルコール摂取量“５ｍｌ”、“１０ｍｌ”、“１２．５ｍｌ”、“１５ｍｌ”、“２０ｍｌ”、“２５ｍｌ”を示している。度数指示部３ａ，３ｂ，３ｃ，３ｄ，３ｅ，３ｆは、それぞれ、摂取量指示部２ａ，２ｂ，２ｃ，２ｄ，２ｅ，２ｆに対応するように設けられている。このように、第１の実施形態では、摂取量指示部及び前記度数指示部は、相異なる摂取量情報について、それぞれ対応するように複数設けられている。これにより、様々な種類のアルコール度数のアルコール飲料に対して、様々なアルコール摂取量を適宜選択することができるようになる。なお、摂取量指示部を１種類にして（たとえば、摂取量指示部２ａの“２５ｍｌ”のみにして）、当該摂取量指示部に対応するように複数の度数情報を示す度数指示部（たとえば、量度数指示部３ａ）を設けさえすれば、少なくとも様々な種類のアルコール飲料に対して、アルコール摂取量を確認することができるという本発明の第一目的は達成される。
【００３８】
（第２の実施形態）
図４Ａは、本発明の第２の実施形態に係る容器１ａを示す正面図である。以下、特に説明しない点に関しては、第１の実施形態と同様である。図４Ａにおいて、容器１ａは、摂取量指示部２ｇと、度数指示部３ｇとを含む。
【００３９】
度数指示部３ｇは、ｎ倍（ｎは、自然数）の関係にあるアルコール度数に関する複数の度数情報の組に対して、共通の分量として用いられる一つの共通目盛りを各組毎に設けている。図４Ａでは、たとえば、度数指示部３ｇは、“１０％”、“２０％”、“３０％”、“４０％”、“５０％”の順でｎ倍の関係にある度数情報の組３１に対して、共通の分量として用いられる共通目盛り２１ｇを設けている。その他、“２％”、“４％”、“６％”、“８％”、“１０％”や、“２．５％”、“５％”、“７．５％”、“１０％”、“１２．５％”のｎ倍の関係にある度数情報の組に対して、それぞれ、共通目盛り２１ａ，２１ｂが設けられている。共通目盛り２１ｃ，２１ｄ，２１ｅ，２１ｆ，２１ｈ，２１ｉについても、同様に、ｎ倍の関係にある度数情報の組に対して設けられている。
【００４０】
共通目盛りは、第１の実施形態と同様に、アルコール度数とアルコール摂取量との関係式を用いて、所望のアルコール摂取量を得るためのアルコール飲料の分量から求めればよい。たとえば、１０％のアルコール飲料について、アルコール摂取量を５ｍｌとした場合、アルコール飲料の分量は、５０ｍｌとなる。２０％のアルコール飲料について、アルコール摂取量を１０ｍｌとした場合、アルコール飲料の分量は、５０ｍｌとなる。このように、アルコール度数及びアルコール摂取量をｎ倍の関係にすれば、摂取すべきアルコール飲料の分量が共通となるので、共通目盛りを用いることができる。
【００４１】
度数指示部３ｇは、同一の倍数毎に対応させて、摂取量情報を示している。図４Ａでは、１倍の場合（すなわち、“２％”、“２．５％”、“３％”、“３．５％”、“４％”、“５％”、“１０％”、“１５％”、“２０％”の場合）に対応させて、アルコール摂取量が５ｍｌであることを示す摂取量情報２２ａが示されている。同様にして、２倍の場合に対応させて、摂取量情報２２ｂが示されている。３倍の場合に対応させて、摂取量情報２２ｃが示されている。４倍の場合に対応させて、摂取量情報２２ｄが示されている。５倍の場合に対応させて、摂取量情報２２ｅが示されている。
【００４２】
図４Ｂは、本発明の第２の実施形態に係る容器１ｂの他の例を示す正面図である。図４Ｂにおいて、図４Ａと同様の機能を有する部分については、同一の参照符号を付す。図４Ｂに示すように、共通目盛り２１ａ，２１ｂ，２１ｃ，２１ｄ，２１ｅ，２１ｆ，２１ｇ，２１ｈ，２１ｉは、度数情報の下に設けられた共通の線によって表されてもよい。
【００４３】
たとえば、１０％のアルコール飲料を飲用する場合、アルコール摂取量を１０ｍｌにしたければ、共通目盛り２１ｆまで当該アルコール飲料を注入し、アルコール摂取量を２０ｍｌにしたければ、共通目盛り２１ｂまで当該アルコール飲料を注入し、アルコール摂取量を２５ｍｌにしたければ、共通目盛り２１ａまで当該アルコール飲料を注入すればよい。
【００４４】
このように、第２の実施形態によれば、ｎ倍の関係にあるアルコール度数について共通目盛りが用いられ、倍数毎にアルコール摂取量が表示されているので、第１の実施形態に比べて、容器の表示が簡易なものとなり、デザイン性が向上する。
【００４５】
（第３の実施形態）
図５は、本発明の第３の実施形態に係る容器１ｃを示す正面図である。以下、特に説明しない点に関しては、第１の実施形態と同様である。図５において、容器１ｂは、摂取量指示部２ｈと、度数指示部３ｈとを含む。
【００４６】
度数指示部３ｈは、１／ｎ（ｎは、自然数）の関係にあるアルコール度数に関する複数の度数情報の組に対して、共通の量として用いられる一つの共通目盛りを各組毎に設けている。図５では、たとえば、度数指示部３ｈは、“１０％”、“５％”の順で１／ｎ倍の関係にある度数情報の組４１ａに対して、共通の分量として用いられる共通目盛り２４ａを設けている。その他の共通目盛り２４についても同様である。このように、共通目盛りは、１／ｎ倍の関係にある度数情報の組に対して設けられている。
【００４７】
たとえば、１０％のアルコール飲料について、アルコール摂取量を２５ｍｌとした場合、アルコール飲料の分量は、２５０ｍｌとなる。５％のアルコール飲料について、アルコール摂取量を２５ｍｌとした場合、アルコール飲料の分量は、５００ｍｌとなる。このように、アルコール摂取量を一定にして、アルコール度数を１／ｎ倍すると、摂取すべきアルコール飲料の分量はｎ倍になる。したがって、１／ｎ倍のアルコール度数に関する度数情報に対応する摂取量情報には、ｎ杯飲用すれば所望のアルコール摂取量となる旨の表示を付する。図５の例では、１／２倍のアルコール度数に関する度数情報（“４．５％”，“５％”，“５．５％”，“６％”，“６．５％”，…）に対応して、“２５ｍｌ”という摂取量情報２３ａと“２杯”という摂取量情報２３ｃとを設けることによって、２杯飲用すれば、アルコール摂取量が２５ｍｌとなることを確認できる。“１杯”という摂取量情報２３ｂに対応するアルコール度数については、１杯飲用すれば、アルコール摂取量が２５ｍｌとなることを確認できる。このように、摂取量指示２ｈは、同一の倍数に対応させて、所望のアルコール摂取量（ここでは、摂取量情報２３ａ）に対する飲用杯数（ここでは、摂取量情報２３ｂ，２３ｃ）を示す。
【００４８】
なお、摂取量情報２３ｃに対応する“１０％”〜“２５％”の度数情報２４ｂは、摂取量情報２３ｂに対応する“１０％”〜“２５％”の度数情報２４ｃと重複することになる。よって、度数情報２４ｂは、省略してもよい。
【００４９】
このように、第３の実施形態では、１／ｎ倍の関係にあるアルコール度数について共通目盛りが用いられ、倍数毎に飲用すべき杯数が表示されているので、第１の実施形態に比べて、容器の表示が簡易なものとなり、デザイン性が向上する。加えて、特に、アルコール度数が低い（たとえば、５％のビールなど）アルコール飲料について、何杯飲用すれば、適切なアルコール摂取量となるのかを確認することができる。
【００５０】
（第４の実施形態）
図６は、本発明の第４の実施形態に係る容器１ｄを示す正面図である。以下、特に説明しない点に関しては、第１の実施形態と同様である。図６において、容器１ｄは、摂取量指示部２ｉと、度数指示部３ｉとを含む。
【００５１】
度数指示部３ｉは、アルコール飲料の種類を表す度数情報３２ａ，３２ｂ，３２ｃ，３２ｄ，３２ｅを用いる。アルコール飲料の種類によっては、平均的なアルコール度数が概ね決まっているので、図６に示すように、アルコール飲料の種類（ビールや、ワイン、日本酒、焼酎、ウイスキーなど）で度数情報を表してもよい。アルコール度数の低いビールなどでは、摂取量指示部２ｉに示す２５ｍｌのアルコール摂取量に達するには、２杯のビールを飲用しなければならない場合、所望のアルコール摂取量に対する飲用杯数をアルコール飲料の種類と並記してもよい（度数情報３２ａ参照）。なお、図６に示すように、アルコール飲料の種類と平均的なアルコール度数とを並記してもよい。さらに、アルコール飲料の種類を表す度数表示３２ａ〜３２ｅに、当該アルコール飲料を飲用したときの総カロリーを表示してもよい。
【００５２】
図７は、本発明の第４の実施形態に係る容器１ｅの他の例を示す正面図である。アルコール飲料の種類が同一であっても、アルコール度数には、大小あるので、図７に示すように、幅を持たせた分量表示３３ａ，３３ｂ，３３ｃ，３３ｄ，３３ｅを用いてもよい。適宜、自身が飲用するアルコール飲料のアルコール度数に応じて、分量表示に引かれた線を基準に、アルコール飲料の量を調整すればよい。
【００５３】
このように、第４の実施形態によれば、度数情報としてアルコール飲料の種類を用いるので、簡単な表示で、適切なアルコール摂取量を把握することができ、デザイン性が向上する。
【００５４】
（第５の実施形態）
図８は、本発明の第５の実施形態に係るアルコール摂取量測定器２及びそれに用いられる専用の容器１ｆを示す図である。図８において、第１の実施形態と同様の機能を有する部分については、同一の参照符号を付す。
【００５５】
図８に示すように、摂取量指示部２ｂ及び度数表示部３ｂは、容器１ｆの口元部分に引っかけることができるように、先端がコの字状になったアルコール摂取量測定器２に表示されている。アルコール摂取量測定器２は、透明又は半透明であるとよいが、それに限定されない。これにより、摂取量指示部２ｂ及び度数表示部３ｂは、取り外し可能となる。また、アルコール摂取量測定器２は、容器１ｆに取り付けられる器具であって、アルコール摂取量を確認することができる器具として用いることができる。
【００５６】
なお、図８では、アルコール摂取量が２０ｍｌの場合のみ示しているが、第１〜第４に示した摂取量指示部及び度数表示部を用いてアルコール摂取量測定器を構成し、取り外し可能な構造にすることができる。取り外し可能にするための構造は、図８に示す構造に限るものではない。たとえば、アルコール摂取量測定器は、容器の底から立脚するような構造であってもよい。その他、アルコール摂取量測定器は、剥離と接着を繰り返すことができるフィルム等によって構成されていてもよい。
【００５７】
第１〜第５に示した実施形態は、適宜、あらゆるパターンで組み合わせることができる。たとえば、図１に示すような摂取量指示部２ａ及び度数表示部３ａと、図４Ａに示すような摂取量指示部２ｇ及び度数表示部３ｇとを組み合わせて、一つの容器を作ってもよい。その他、図４Ａに示すような摂取量指示部２ｇ及び度数表示部３ｇと、図６に示すような摂取量指示部２ｉ及び度数表示部３ｉとの組み合わせでもよい。
【００５８】
なお、図３（ｂ）や図３（ｃ）に示すように、容器１の全容量が小さいと、アルコール度数が約５％程度などの場合は、一杯分では表示仕切れない場合が生じる。したがって、ビールなどのアルコール度数が低いアルコール飲料用に、容器を大きくして、容器一杯分で２５ｍｌや２０ｍｌのアルコールが摂取できるようにしてもよい。例えば、図９に、低度数のアルコール飲料用の容器１ｇを示す。
【００５９】
逆に、図２（ａ）〜（ｃ）や図３（ａ）〜（ｃ）に示すように、３０％〜５０％程度のアルコール度数になると、目盛りの間隔が狭くなってしまい、入れすぎることによって、適切なアルコール摂取量を超えてしまう場合がある。このように、アルコール度数が高いアルコール飲料用には、全体容量を小さくした容器を用いるようにするとよい。例えば、図１０に、高度数のアルコール飲料用の容器１ｈを示す。
【００６０】
（第６の実施形態）
図１１は、本発明の第６の実施形態に係る容器１ｉを示す正面図及び背面図である。なお、図１１では、５．５％・１０％の場合だけを記載したが、他のアルコール度数についても、同様に目盛りが付されている。第１〜第５の実施形態では、所望のアルコール摂取量を決めた上で、使用する目盛りを決め、注入するアルコール飲料のアルコール度数に対応する目盛りまで、アルコール飲料を注入することとした。たとえば、図１の例では、アルコール摂取量を２０ｍｌと決めた場合、使用する目盛りを３ｂと決め、注入するアルコール飲料の度数に相当する目盛りまで、アルコール飲料を注入して、所望のアルコール摂取量を得ていた。一方、第６の実施形態では、注入するアルコール飲料のアルコール度数（図１１では、たとえば、５．５％）を確認し、当該アルコール度数に対応する目盛り（図１１では、２ｊ）を使用する目盛りとして決め、得たいアルコール摂取量に相当する目盛りまで、当該アルコール飲料を注入すれば、所望のアルコール摂取量が得られるように、目盛りが付されている。
【００６１】
目盛りの決め方の一例について説明する。まず、あるアルコール度数に対して、所望のアルコール摂取量を得るためのアルコール飲料の容量を計算する。当該計算式は、第１の実施形態と同様の計算式を使うことができる。得られた容量に対応するように、アルコール摂取量を付して、摂取量指示部２ｊとする。当該摂取量支持部２ｊに対応付けて、アルコール度数を示す度数指示部３ｊを付す。
【００６２】
すなわち、第６の実施形態に係る容器１ｉは、アルコール摂取量に関する複数の摂取量情報（図１１上、３０ｍｌや２５ｍｌ、２０ｍｌ、１５ｍｌ、１０ｍｌの表記）を示す摂取量指示部２ｊと、アルコール度数に関する複数の度数情報（図１１上、５．５％や１０％の表記）を示す度数指示部３ｊとを備える。摂取量情報は、注入すべきアルコール飲料の分量も示している。摂取量情報が示す分量まで、度数情報が示すアルコール度数を有するアルコール飲料を注入すると、摂取量情報によって示されるアルコール摂取量が得られることとなる。
【００６３】
なお、第６の実施形態に示す目盛り部分だけを第５の実施形態のように取り出して、アルコール摂取量測定器を提供することも可能である。
【００６４】
なお、第６の実施形態と、第１〜第５の実施形態のいずれかとを組み合わせることも可能である。
【００６５】
ここで、第１〜第４の実施形態に係る容器と第６の実施形態に係る容器との共通概念を考える。第１〜第４の実施形態に係る容器と第６の実施形態に係る容器とは、まず、度数指示部（たとえば、図１の３ａ、図４Ａの３ｇ、図６の３ｉ、図１１の３ｊなど）で指定されているアルコール度数を有するアルコール飲料を注入する点で共通する。そして、アルコール度数は、共に、複数種類記載されている。次に、第１〜第４の実施形態に係る容器と第６の実施形態に係る容器とは、所望のアルコール摂取量（たとえば、図１の２ａ、図４Ａの２ｇ、図６の２ｉなど）に関連づけて付された目盛り（たとえば、図１の３、図４Ａの２１ａ〜２１ｉ、図６上の３ｉに対応する目盛り、図１１の２ｊに対応する目盛り）まで、度数指示部で指定されているアルコール度数を有するアルコール飲料を注入した場合、注入されたアルコール飲料によって得られるアルコール摂取量が当該所望のアルコール摂取量（たとえば、図１の２ａ、図４Ａの２ｇ、図６の２ｉ、図１１の２ｊのいずれか）となるように、アルコール摂取量とアルコール度数とを関連づけて表示する目盛りを有する点で共通する。さらに、第１〜第４の実施形態に係る容器と第６の実施形態に係る容器とは、当該目盛り（たとえば、図１の３ａ、図４Ａの２１ａ〜２１ｉ、図６上の３ｉに対応する目盛り、図１１の２ｊに対応する目盛り）は、複数種類のアルコール度数（図１・図４Ａ・図６であれば目盛り上のアルコール度数、図１１であれば複数の度数指示部３ｊ）に対応付けて、複数付されている。同様のことが、第５の実施形態と第６の実施形態を転用したアルコール摂取量測定器との間についても言える。
【００６６】
したがって、本発明は、指定されているアルコール度数を有するアルコール飲料を、所望のアルコール摂取量に関連づけて付された目盛りまで注入した場合、注入されたアルコール飲料によって得られるアルコール摂取量が当該所望のアルコール摂取量となるように、アルコール摂取量とアルコール度数とを関連づけて表示する目盛りを有し、当該目盛りは、複数種類のアルコール度数に対応付けて複数付されていることを特徴とする容器であればよく、上記に示した実施形態以外の目盛りの付し方も含むものである。同様のことが、アルコール摂取量測定器についても言える。
【００６７】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００６８】
本発明は、様々な種類のアルコール飲料に対して、アルコール摂取量を確認することができ有用である。
【図面の簡単な説明】
【００６９】
【図１】本発明の第１の実施形態に係る容器１を示す斜視図
【図２】（ａ）〜（ｃ）は、それぞれ、容器１の正面図
【図３】（ａ）〜（ｃ）は、それぞれ、容器１の正面図
【図４Ａ】本発明の第２の実施形態に係る容器１ａを示す正面図
【図４Ｂ】本発明の第２の実施形態に係る容器１ｂの他の例を示す正面図
【図５】本発明の第３の実施形態に係る容器１ｃを示す正面図
【図６】本発明の第４の実施形態に係る容器１ｄを示す正面図
【図７】本発明の第４の実施形態に係る容器１ｅの他の例を示す正面図
【図８】本発明の第５の実施形態に係るアルコール摂取量測定器２及びそれに用いられる専用の容器１ｆを示す図
【図９】低度数のアルコール飲料用の容器１ｇを示す図
【図１０】高度数のアルコール飲料用の容器１ｈを示す図
【図１１】本発明の第６の実施形態に係る容器１ｉを示す正面図及び背面図
【符号の説明】
【００７０】
１，１ａ，１ｂ，１ｃ，１ｄ，１ｅ，１ｆ，１ｇ，１ｈ，１ｉ  容器
２  アルコール摂取量測定器
２ａ，２ｂ，２ｃ，２ｄ，２ｅ，２ｆ，２ｇ，２ｈ，２ｉ，２ｊ  摂取量指示部
３ａ，３ｂ，３ｃ，３ｄ，３ｅ，３ｆ，３ｇ，３ｈ，３ｉ，３ｊ  度数指示部
３，２４ｂ，２４ｃ，３２ａ，３２ｂ，３２ｃ，３２ｄ，３２ｅ  度数情報
２２ａ，２２ｂ，２２ｃ，２２ｄ，２２ｅ，２３ａ，２３ｂ，２３ｃ  摂取量情報
２１ａ，２１ｂ，２１ｃ，２１ｄ，２１ｅ，２１ｆ，２１ｇ，２１ｈ，２１ｉ，２４ａ，２４  共通目盛り
３１，４１ａ  度数情報の組
３３ａ，３３ｂ，３３ｃ，３３ｄ，３３ｅ  分量表示